(57)【要約】【課題】  バリエーションやデザイン性に富む喫煙スペースを容易に作ることができる喫煙ブースを提供する。【解決手段】  建物内に隔離空間Ｃを形成し、この隔離空間Ｃを喫煙スペースとして提供するための喫煙ブースＡであって、この喫煙ブースＡは、建物内の天井Ｂ２と床Ｂ１との間に配置され、湾曲した横断面を有する複数の曲面仕切りユニット１と、天井と床との間に出入口を形成し、この出入口に面した開閉ドア３１を有する出入口ユニット３と、曲面仕切りユニット１および出入口ユニット３の側端部同士を任意に組み合わせて横方向に連結可能とする複数の縦枠部材４とを備える。【選択図】  図１
2011144533.tif 000002
【特許請求の範囲】
【請求項１】
建物内に隔離空間を形成し、この隔離空間を喫煙スペースとして提供するための喫煙ブースであって、
上記建物内の天井と床との間に配置され、湾曲した横断面を有する一または複数の曲面仕切りユニットと、
上記天井と床との間に出入口を形成し、この出入口に面した開閉ドアを有する一または複数の出入口ユニットと、
上記曲面仕切りユニットおよび出入口ユニットの側端部同士を任意に組み合わせて横方向に連結可能とする一または複数の縦枠部材と、
を備えたことを特徴とする、喫煙ブース。
【請求項２】
上記天井と床との間に配置される一または複数の平面仕切りユニットをさらに備え、上記縦枠部材は、上記平面仕切りユニット、曲面仕切りユニット、および出入口ユニットの側端部同士を任意に組み合わせて横方向に連結可能である、請求項１に記載の喫煙ブース。
【請求項３】
上記縦枠部材は、上記平面仕切りユニット、曲面仕切りユニット、および出入口ユニットの各側端部を上記建物内の壁に沿って配置可能である、請求項２に記載の喫煙ブース。
【請求項４】
上記平面仕切りユニットは、平面板と、この平面板の上端部および下端部を上記天井および床に沿って固定する直線状の上枠部材および下枠部材とを有し、上記曲面仕切りユニットは、曲面板と、この曲面板の上端部および下端部を上記天井および床に沿って固定する湾曲状の上枠部材および下枠部材とを有する、請求項２または３に記載の喫煙ブース。
【請求項５】
上記平面板および曲面板は、透明あるいは半透明のガラス板あるいは樹脂パネルである、請求項４に記載の喫煙ブース。
【請求項６】
上記曲面板は、筒状をなすとともに、片面側の凹面と他面側の凸面とを有する、請求項４または５に記載の喫煙ブース。
【請求項７】
上記曲面仕切りユニットは、上記曲面板の凹面を上記隔離空間側に配置すること、および上記曲面板の凸面を上記隔離空間側に配置することのいずれも可能である、請求項６に記載の喫煙ブース。
【請求項８】
上記曲面板は、横断面において中心角が６０度の円筒状をなす、請求項４ないし７のいずれかに記載の喫煙ブース。
【請求項９】
上記上枠部材同士は、上記縦枠部材を介して横方向に連結されるとともに、上記下枠部材同士も、上記縦枠部材を介して横方向に連結される、請求項４ないし８のいずれかに記載の喫煙ブース。
【請求項１０】
上記上枠部材は、緩衝部材を介して上記天井に固定される、請求項４ないし９のいずれかに記載の喫煙ブース。
【請求項１１】
上記平面仕切りユニットおよび曲面仕切りユニットの上記隔離空間側には、上記床から所定の高さ位置に上記縦枠部材を介して支持され、横方向に互いに連結された複数のテーブルが設けられている、請求項４ないし１０のいずれかに記載の喫煙ブース。
【請求項１２】
上記平面仕切りユニットおよび曲面仕切りユニットの上記隔離空間側にはさらに、上記テーブルの上方に上記縦枠部材を介して支持され、横方向に互いに連結された複数の照明ボックスが設けられている、請求項１１に記載の喫煙ブース。
【請求項１３】
上記出入口ユニットは、上記出入口の上方に配置される窓板と、この窓板の上端部および下端部を上記天井および出入口の上端に沿って固定する窓上枠部材および窓下枠部材と、この窓下枠部材に支持され、上記開閉ドアを横方向にスライド可能に懸架するスライドクローザとを有する、請求項１ないし１２のいずれかに記載の喫煙ブース。
【請求項１４】
上記窓板は、透明あるいは半透明のガラス板あるいは樹脂パネルである、請求項１３に記載の喫煙ブース。
【発明の詳細な説明】
【技術分野】
【０００１】
本発明は、建物内に隔離空間を形成して喫煙スペースを提供するための喫煙ブースに関する。
【背景技術】
【０００２】
従来の喫煙ブースには、複数の仕切り板によって建物内に隔離空間を形成し、その隔離空間を喫煙スペースとして提供可能なものがある（たとえば、特許文献１を参照）。同文献に開示された喫煙ブースは、３枚の仕切り板を天井と床との間に配置するとともに、これらの仕切り板の側端部同士を直角に連結し、その余の側端部を建物内の壁に沿って配置することにより、壁も利用して隔離空間を形成している。この喫煙ブースには、出入口を開閉するための扉が設けられており、各仕切り板の上端部と天井との間には、開閉可能な換気用のブラインドが設けられている。隔離空間内の天井には、複数の空気清浄機が設けられており、これらの空気清浄機によって空気が循環される。
【０００３】
しかしながら、上記従来の喫煙ブースでは、大きさが異なる複数の仕切り板を用いるものの、平板状の仕切板を組み合わせているので、角張った矩形状の喫煙スペースしか作ることができず、バリエーションやデザイン性において改善する余地があった。
【先行技術文献】
【特許文献】
【０００４】
【特許文献１】特開２００５−１４７５８７号公報
【発明の概要】
【発明が解決しようとする課題】
【０００５】
本発明は、上記事情のもとで考え出されたものであって、バリエーションやデザイン性に富む喫煙スペースを容易に作ることができる喫煙ブースを提供することをその課題としている。
【課題を解決するための手段】
【０００６】
上記課題を解決するため、本発明では、次の技術的手段を講じている。
【０００７】
本発明により提供される喫煙ブースは、建物内に隔離空間を形成し、この隔離空間を喫煙スペースとして提供するための喫煙ブースであって、上記建物内の天井と床との間に配置され、湾曲した横断面を有する一または複数の曲面仕切りユニットと、上記天井と床との間に出入口を形成し、この出入口に面した開閉ドアを有する一または複数の出入口ユニットと、上記曲面仕切りユニットおよび出入口ユニットの側端部同士を任意に組み合わせて横方向に連結可能とする一または複数の縦枠部材と、を備えたことを特徴としている。
【０００８】
本発明の好ましい実施の形態においては、上記天井と床との間に配置される一または複数の平面仕切りユニットをさらに備え、上記縦枠部材は、上記平面仕切りユニット、曲面仕切りユニット、および出入口ユニットの側端部同士を任意に組み合わせて横方向に連結可能である。
【０００９】
本発明の好ましい実施の形態においては、上記縦枠部材は、上記平面仕切りユニット、曲面仕切りユニット、および出入口ユニットの各側端部を上記建物内の壁に沿って配置可能である。
【００１０】
本発明の好ましい実施の形態においては、上記平面仕切りユニットは、平面板と、この平面板の上端部および下端部を上記天井および床に沿って固定する直線状の上枠部材および下枠部材とを有し、上記曲面仕切りユニットは、曲面板と、この曲面板の上端部および下端部を上記天井および床に沿って固定する湾曲状の上枠部材および下枠部材とを有する。
【００１１】
本発明の好ましい実施の形態においては、上記平面板および曲面板は、透明あるいは半透明のガラス板あるいは樹脂パネルである。
【００１２】
本発明の好ましい実施の形態においては、上記曲面板は、筒状をなすとともに、片面側の凹面と他面側の凸面とを有する。
【００１３】
本発明の好ましい実施の形態においては、上記曲面仕切りユニットは、上記曲面板の凹面を上記隔離空間側に配置すること、および上記曲面板の凸面を上記隔離空間側に配置することのいずれも可能である。
【００１４】
本発明の好ましい実施の形態においては、上記曲面板は、横断面において中心角が６０度の円筒状をなす。
【００１５】
本発明の好ましい実施の形態においては、上記上枠部材同士は、上記縦枠部材を介して横方向に連結されるとともに、上記下枠部材同士も、上記縦枠部材を介して横方向に連結される。
【００１６】
本発明の好ましい実施の形態においては、上記上枠部材は、緩衝部材を介して上記天井に固定される。
【００１７】
本発明の好ましい実施の形態においては、上記平面仕切りユニットおよび曲面仕切りユニットの上記隔離空間側には、上記床から所定の高さ位置に上記縦枠部材を介して支持され、横方向に互いに連結された複数のテーブルが設けられている。
【００１８】
本発明の好ましい実施の形態においては、上記平面仕切りユニットおよび曲面仕切りユニットの上記隔離空間側にはさらに、上記テーブルの上方に上記縦枠部材を介して支持され、横方向に互いに連結された複数の照明ボックスが設けられている。
【００１９】
本発明の好ましい実施の形態においては、上記出入口ユニットは、上記出入口の上方に配置される窓板と、この窓板の上端部および下端部を上記天井および出入口の上端に沿って固定する窓上枠部材および窓下枠部材と、この窓下枠部材に支持され、上記開閉ドアを横方向にスライド可能に懸架するスライドクローザとを有する。
【００２０】
本発明の好ましい実施の形態においては、上記窓板は、透明あるいは半透明のガラス板あるいは樹脂パネルである。
【００２１】
上記構成では、たとえば複数の曲面仕切りユニットおよび一つの出入口ユニット、さらには複数の平面仕切りユニットを用い、これらユニットの側端部同士を、縦枠部材を介して任意に組み合わせて連結することができる。したがって、本発明によれば、たとえば建物内の壁と各ユニットによって囲まれた曲面を含む隔離空間を多様に形成することができ、バリエーションやデザイン性に富む喫煙スペースを容易に作ることができる。
【００２２】
本発明のその他の特徴および利点は、添付図面を参照して以下に行う詳細な説明によって、より明らかとなろう。
【図面の簡単な説明】
【００２３】
【図１】本発明に係る喫煙ブースの一実施形態を示す斜視図である。
【図２】図１に示す喫煙ブースの分解斜視図である。
【図３】図１に示す喫煙ブースの中間部の横断面図である。
【図４】図１に示す喫煙ブースの上部の横断面図である。
【図５】図３において喫煙ブースをV方向から見た正面図である。
【図６】図３において喫煙ブースをVI方向から見た側面図である。
【図７】図１に示す喫煙ブースの縦枠部材周辺の横断面図である。
【図８】図１に示す喫煙ブースの下部周辺の縦断面図である。
【図９】図１に示す喫煙ブースの上部周辺の縦断面図である。
【図１０】図１に示す喫煙ブースの出入口上部周辺の縦断面図である。
【図１１】本発明に係る喫煙ブースの他の実施形態を示す横断面図である。
【図１２】本発明に係る喫煙ブースの他の実施形態を示す横断面図である。
【図１３】本発明に係る喫煙ブースの他の実施形態を示す横断面図である。
【図１４】本発明に係る喫煙ブースの他の実施形態を示す横断面図である。
【発明を実施するための形態】
【００２４】
以下、本発明の好ましい実施の形態を、図面を参照して具体的に説明する。
【００２５】
図１〜１０は、本発明に係る喫煙ブースの一実施形態を示している。本実施形態の喫煙ブースＡは、たとえば建物内の床Ｂ１や天井Ｂ２、さらには壁Ｂ３を利用してその建物内に隔離空間Ｃを形成し、この隔離空間Ｃを喫煙スペースとして提供するものである。喫煙ブースＡは、一例として、２つの曲面仕切りユニット１、平面仕切りユニット２、出入口ユニット３、複数の縦枠部材４、複数のテーブル５、および複数の照明ボックス６を備える。曲面仕切りユニット１、平面仕切りユニット２、および出入口ユニット３は、縦枠部材４を介して互いに横方向に連結される。これら複数のユニット１〜３、ならびに床Ｂ１、天井Ｂ２、および壁Ｂ３によって囲まれた空間が隔離空間Ｃとなる。テーブル５および照明ボックス６は、隔離空間Ｃ側に設けられる。
【００２６】
図２に示すように、曲面仕切りユニット１は、曲面板１０と、この曲面板１０の上端部および下端部を天井Ｂ２および床Ｂ１に沿って固定する湾曲状の上枠部材１１および下枠部材１２とを有して構成される。
【００２７】
曲面板１０は、たとえば透明な強化ガラス板からなる。図３および図４に示すように、曲面板１０は、横断面において中心角が６０度の円筒状をなし、片面側の凹面１０Ａと他面側の凸面１０Ｂとを有する。本実施形態では、凹面１０Ａを隔離空間Ｃ側に配置し、凸面１０Ｂを隔離空間Ｃの外側に配置している。
【００２８】
上枠部材１１は、横断面において曲面板１０と同形状に湾曲した金属製の部材からなる。図９によく示すように、上枠部材１１は、弾性部材１１０を介して曲面板１０の上端部を支持する溝部１１１を有する。上枠部材１１は、緩衝部材１１２を介してボルト１１３で天井Ｂ２に固定される。特に図示しないが、上枠部材１１は、後述する下枠部材１２と同様に縦枠部材４とボルトで横方向に連結される。本実施形態では、上枠部材１１の凹面１１Ａ側を隔離空間Ｃ側に配置しているが、曲面板１０の凹面１０Ａを隔離空間Ｃの外側に配置し、上枠部材１１の凹面１１Ａ側を隔離空間Ｃの外側に配置することも可能である。
【００２９】
下枠部材１２は、横断面において曲面板１０と同形状に湾曲した金属製のベース部材１２Ａおよび補助部材１２Ｂによって構成される。図８によく示すように、ベース部材１２Ａは、床Ｂ１にボルトＢｔ１で直接固定される下部１２０と、弾性部材１２２を介して曲面板１０の下端部を支持する上部１２１とを有する。下部１２０には、柱や枠部（符号略）以外に開口部１２０Ａが設けられている。開口部１２０Ａには、多数の通気孔を有する横長湾曲状のパンチングメタル１３が取り付けられる。隔離空間Ｃ側となる上部１２１の内側には、上方に突き出た縁部１２１Ａが設けられている。上部１２１の外側には、ボルトＢｔ２で補助部材１２Ｂが固定され、この補助部材１２Ｂと縁部１２１Ａとの間に弾性部材１２２を介して曲面板１０の下端部が支持される。この下枠部材１２は、ベース部材１２Ａの上部１２１がボルトＢｔ３を介して縦枠部材４と横方向に連結される。本実施形態の下枠部材１２は、曲面板１０の凹面１０Ａおよび凸面１０Ｂの配置に合わせて凹面側となるベース部材１２Ａの縁部１２１Ａが隔離空間Ｃ側に配置されるが、この縁部１２１Ａを隔離空間Ｃの外側に配置してベース部材１２Ａを床Ｂ１に固定することも可能である。
【００３０】
図２に示すように、平面仕切りユニット２は、平面板２０と、この平面板２０の上端部および下端部を天井Ｂ２および床Ｂ１に沿って固定する横長直線状の上枠部材２１および下枠部材２２とを有して構成される。
【００３１】
平面板２０は、たとえば透明な縦長矩形状の強化ガラス板からなり、曲面板１０と同程度の縦横寸法および高さ寸法をもつ。
【００３２】
上枠部材２１は、横断面において平面板２０と同程度の横寸法をもつ金属製の部材からなる。上枠部材２１の縦断面は、先述した曲面板用の上枠部材１１の縦断面と同様であり、図９に括弧で示すように、上枠部材２１は、弾性部材２１０を介して平面板２０の上端部を支持する溝部２１１を有する。この上枠部材２１も、緩衝部材２１２を介してボルト２１３で天井Ｂ２に固定され、縦枠部材４に対してボルトで横方向に連結される。
【００３３】
下枠部材２２は、横断面において平面板２０と同程度の横寸法をもつ金属製のベース部材２２Ａおよび補助部材２２Ｂによって構成される。下枠部材２２の縦断面も、先述した曲面板用の下枠部材１２の縦断面と同様であり、図８に括弧で示すように、ベース部材２２Ａは、床Ｂ１にボルトＢｔ１で直接固定される下部２２０と、弾性部材２２２を介して平面板２０の下端部を支持する上部２２１とを有する。下部２２０には、柱や枠部（符号略）以外に開口部２２０Ａが設けられている。開口部２２０Ａには、多数の通気孔を有する横長矩形状のパンチングメタル２３が取り付けられる。隔離空間Ｃ側となる上部２２１の内側には、上方に突き出た縁部２２１Ａが設けられている。上部２２１の外側には、ボルトＢｔ２で補助部材２２Ｂが固定され、この補助部材２２Ｂと縁部２２１Ａとの間に弾性部材２２２を介して平面板２０の下端部が支持される。この下枠部材２２も、ベース部材２２Ａの上部２２１がボルトＢｔ３を介して縦枠部材４と横方向に連結される。
【００３４】
出入口ユニット３は、天井Ｂ２と床Ｂ１との間に喫煙ブースＡの出入口３０を形成するものである。図２に示すように、出入口ユニット３は、手動スライド式の開閉ドア３１、スライドクローザ３２、ドア用補助部材３３、２つの窓板３４、各窓板３４を支持する窓上枠部材３５および窓下枠部材３６、出入口３０に並んで設けられる平面板３７、平面板３７を支持する下枠部材３８、ならびに窓上枠部材３５同士、窓下枠部材３６同士、および下枠部材３８を連結する中間枠部材４’を有して構成される。窓板３４は、出入口３０および平面板３７の上方に配置され、平面板３７は、出入口３０の一側方に配置される。なお、中間枠部材４’は、後述する縦枠部材４と同一形態からなるものであり、下枠部材３８は、先述した平面板用の下枠部材２２と同一形態からなるものである。
【００３５】
図３および図４に示すように、開閉ドア３１は、横方向にスライド可能にスライドクローザ３２に懸架されており、出入口３０に面した閉位置から平面板３７と概ね対向する開位置まで移動可能である。開閉ドア３１の下端は、床Ｂ１に近接する。図１０に示すように、開閉ドア３１の上端には、ローラ３１０がアーム３１１を介して支持されている。このローラ３１０は、スライドクローザ３２の内部に水平横方向に延びるように配置されたガイドレール３２０に沿って転がり移動する。スライドクローザ３２は、窓下枠部材３６に取り付けられる。特に図示しないが、スライドクローザ３２の内部には、開閉ドア３１を開位置から閉位置へと引き込むための引き込みバネや、開閉ドア３１の開閉動作に連動してローラ３１０にある程度の制動力を与える制動装置が設けられている。
【００３６】
図２に示すように、ドア用補助部材３３は、閉位置にある開閉ドア３１の一側に密接して隔離空間Ｃの気密性を保つものであり、出入口３０に隣接する１つの縦枠部材４の外側に固定されている。開閉ドア３１の内外両面には、引き戸ハンドル３１２が設けられている。このような開閉ドア３１は、引き戸ハンドル３１２を介して横方向に手の力が加えられることにより、出入口３０に面した閉位置から移動させられ、その後は無理に手で閉位置へと移動させなくても引き込みバネの弾性力によって再び閉位置へと戻る。開閉ドア３１が開位置まで移動すると、人の出入りに十分な横幅をもつ開口が出入口３０に生じる。なお、本実施形態では、隔離空間Ｃの外側において開閉ドア３１が横方向にスライド可能となるように、隔離空間Ｃの外側にスライドクローザ３２およびドア用補助部材３３を配置しているが、これらを隔離空間Ｃ側に配置することも可能である。
【００３７】
窓板３４および平面板３７は、平板状の透明な強化ガラス板からなり、平面板２０と同程度の横寸法をもつ。窓板３４は、出入口３０と天井Ｂ２との間や、平面板３７と天井Ｂ２との間に設けられるため、縦寸法が比較的短くなっている。平面板３７の縦寸法は、先述した平面板２０より短い一方、窓板３４よりも長い。
【００３８】
窓上枠部材３５は、先述した上枠部材２１と同一形状のものであり、横断面において窓板３４と同程度の横寸法をもつ金属製の部材からなる。図１０に示すように、窓上枠部材３５は、弾性部材３５０を介して窓板３４の上端部を支持する溝部３５１を有する。この窓上枠部材３５も、緩衝部材３５２を介してボルト３５３で天井Ｂ２に固定され、縦枠部材４および中間枠部材４’に対してボルトで横方向に連結される。窓下枠部材３６は、先述した下枠部材２２と同様の仕様のものであるが、開口部やパンチングメタルが設けられず、横断面において窓板３４と同程度の横寸法をもつ金属製のベース部材３６Ａおよび補助部材３６Ｂによって構成される。図１０に示すように、ベース部材３６Ａは、矩形状の縦断面を有する。隔離空間Ｃ側となるベース部材３６Ａの上部内側には、上方に突き出た縁部３６１Ａが設けられる。ベース部材３６Ａの上部外側には、ボルトＢｔ２を介して補助部材３６Ｂが固定され、この補助部材３６Ｂと縁部３６１Ａとの間に弾性部材３６２を介して窓板３４の下端部が支持される。この窓下枠部材３６は、ベース部材３６Ａの上部がボルトＢｔ３を介して縦枠部材４および中間枠部材４’と横方向に連結される。なお、特に図示しないが、窓板３４と平面板３７との間に配置される窓下枠部材３６の下部には、窓上枠部材３５と同様の溝部が設けられており、平面板３７の上端部は、弾性部材を介して窓下枠部材３６の溝部に支持される。下枠部材３８は、平面板３７の下端部を支持するものである。この下枠部材３８は、先述した平面板用の下枠部材２２と同一形状のものであるため、その詳細な図示説明を省略する。中間枠部材４’は、次に詳述する縦枠部材４と同一形状のものであるため、その詳細な図示説明を省略する。
【００３９】
縦枠部材４は、曲面仕切りユニット１、平面仕切りユニット２、および出入口ユニット３を互いに横方向に連結するほか、たとえば平面仕切りユニット２や出入口ユニット３の側端部を壁Ｂ３に沿って配置可能とするものである。縦枠部材４は、床Ｂ１から天井Ｂ２までの距離に近い縦寸法をもつ金属製の２つの部材４Ａ，４Ｂによって構成される（図７参照）。これらの部材４Ａ，４Ｂは、スペーサ４０およびボルト４１を介して連結される。これにより、縦枠部材４の両側部には、曲面板１０や平面板２０，３７、さらには窓板３４の側端部を弾性部材１１０，１２２，２１０，２２２，３６２を介して支持するための縦溝４２が形成される（図８〜１０参照）。なお、本実施形態では、床Ｂ１や天井Ｂ２に対して縦枠部材４や中間枠部材４’を直接固定せず、これらに連結されて一体となった上枠部材１１，２１、窓上枠部材３５、および下枠部材１２，２２，３８を床Ｂ１や天井Ｂ２に固定しているが、もちろん床Ｂ１や天井Ｂ２に対して縦枠部材４および中間枠部材４’を直接固定するようにしてもよい。
【００４０】
テーブル５は、隔離空間Ｃ内において利用者が本やコップなどといった物を置くためのものである。本実施形態では、図３に示すように、平面板２０，３７の内側に沿って設けられるテーブル５Ａと、曲面板１０の凹面１０Ａに沿って設けられるテーブル５Ｂとがある。各テーブル５Ａ，５Ｂは、縦枠部材４および中間枠部材４’の内側部分を回り込んで固定部材５０Ａ，５０Ｂの上部に固定される。固定部材５０Ａ，５０Ｂも、平面板２０，３７に沿って設けられるものと、曲面板１０の凹面１０Ａに沿って設けられるものである。図８に示すように、各固定部材５０Ａ，５０Ｂは、床Ｂ１から所定の高さ位置にボルトＢｔ４を介して縦枠部材４や中間枠部材４’に固定される。互いに隣り合う固定部材５０Ａ，５０Ｂ同士は、ボルトＢｔ５を介して横方向に連結される。固定部材５０Ａ，５０Ｂの上部には、スペーサパイプ５１およびボルトＢｔ６を介してテーブル５Ａ，５Ｂが固定される。なお、特に図示しないが、曲面板１０の凸面１０Ｂに沿って設置可能なテーブルおよび固定部材もある。
【００４１】
照明ボックス６は、テーブル５や出入口３０付近を光で照らす照明器具Ｌを支持するためのものである。本実施形態では、図４に示すように、平面板２０や窓下枠部材３６の内側に沿って設けられる照明ボックス６Ａと、曲面板１０の凹面１０Ａに沿って設けられる照明ボックス６Ｂとがある。図９に示すように、各照明ボックス６Ａ，６Ｂは、天井Ｂ２から所定の距離にボルトＢｔ７を介して縦枠部材４あるいは中間枠部材４’に固定される。互いに隣り合う照明ボックス６Ａ，６Ｂ同士は、ボルトＢｔ８を介して横方向に連結される。照明ボックス６Ａ，６Ｂの下部には、照明器具Ｌの光を下方へと導くための開口６０が設けられている。なお、特に図示しないが、曲面板１０の凸面１０Ｂに沿って設置可能な照明ボックスもある。
【００４２】
次に、上記喫煙ブースＡの作用について説明する。
【００４３】
図１に示すように、喫煙ブースＡは、たとえば換気扇Ｖｆが設けられた建物内の一区画を隔離空間Ｃとするように、曲面仕切りユニット１、平面仕切りユニット２、および出入口ユニット３を互いに連結して形成される。
【００４４】
曲面仕切りユニット１、平面仕切りユニット２、および出入口ユニット３は、縦枠部材４を介して横方向に連結される。喫煙ブースＡの両端となる平面仕切りユニット２および出入口ユニット３の側端部にも、縦枠部材４が連結されており、これらの縦枠部材４は、壁Ｂ３との隙間を塞ぐように壁Ｂ３に接して配置される。なお、喫煙ブースＡの両端に位置する縦枠部材４については、たとえばボルトで壁Ｂ３に固定してもよい。
【００４５】
縦枠部材４に連結されて一体になった上枠部材１１，２１および窓上枠部材３５は、天井Ｂ２に固定され、同じく縦枠部材４に連結されて一体になった下枠部材１２，２２，３８は、床Ｂ１に固定される。これにより、曲面仕切りユニット１、平面仕切りユニット２、および出入口ユニット３は、縦枠部材４を天井Ｂ２や床Ｂ１に固定せずとも強固に固定され、堅牢な喫煙ブースＡを形成する。
【００４６】
このような喫煙ブースＡによって形成された隔離空間Ｃでは、換気扇Ｖｆにより内部の空気が排気されるとともに、外側の空気が下枠部材１２，２２，３８の開口１２０Ａ，２２０Ａおよびパンチングメタル１３，２３を介して吸気される。すなわち、隔離空間Ｃは、換気扇Ｖｆが作動している状態では常に外側から内部の換気扇Ｖｆを経て外部へと空気が流れる空間となり、利用者が開閉ドア３１を開位置まで移動させて出入口３０を開けても、内部の煙などを含む空気が出入口３０から放出されることがほとんどない。
【００４７】
また、喫煙ブースＡは、曲面仕切りユニット１の曲面板１０を仕切りとして隔離空間Ｃを形成しているので、内部における空気が曲面板１０に沿って比較的スムーズに流れやすい。そのため、隔離空間Ｃ内の空気が逆流しにくく、これによっても内部の煙などを含む空気が出入口３０から放出されることが少ない。
【００４８】
上記喫煙ブースＡは、曲面板１０の凹面１０Ａを内側に配置して２つの曲面仕切りユニット１を組み合わせ、その両側に平面仕切りユニット２および出入口ユニット３を連結したものであるが、たとえばいずれか一方の曲面仕切りユニット１につき、曲面板１０の凹面１０Ａを外側に配置して組み合わせることも可能である。また、他の実施形態として後述するように、曲面板１０の凹面１０Ａにつき、外側に配置した曲面仕切りユニット１と内側に配置した曲面仕切りユニット１とをより多く組み合わせたり、壁Ｂ３を利用せずに隔離空間を形成することも可能である。すなわち、少なくも１つの曲面仕切りユニット１を含む喫煙ブースは、曲面板１０の凹面１０Ａを隔離空間Ｃの内側および外側のいずれにも配置可能であることにより多くのバリエーションが存在し、いずれのバリエーションでも曲面板１０によって柔らかい印象の隔離空間Ｃを形成することができる。
【００４９】
したがって、本実施形態の喫煙ブースＡによれば、色々な形の隔離空間Ｃを多様に形成することができ、バリエーションやデザイン性に富む喫煙スペースを容易に作ることができる。
【００５０】
図１１〜１４は、本発明に係る喫煙ブースの他の実施形態を示している。なお、同図において先述したものと同一の構成要素については、同一の符号を付してその詳細な説明を省略する。
【００５１】
図１１に示す喫煙ブースＡ１は、４つの曲面仕切りユニット１、平面仕切りユニット２、および出入口ユニット３を互いに縦枠部材４を介して連結したものである。この喫煙ブースＡ１には、曲面板１０の凹面１０Ａが隔離空間Ｃ１の内側に配置された曲面仕切りユニット１とその外側に配置された曲面仕切りユニット１とがあり、これらの間に１つの平面仕切りユニット２が連結されている。一方の壁Ｂ３には、曲面仕切りユニット１の側端部が近接するように配置されている。このような喫煙ブースＡ１によれば、隔離空間Ｃ１のスペースをより大きく確保することができる。さらに、喫煙ブースＡ１では、より多くの曲面仕切りユニット１を用い、曲面板１０の凹面１０Ａを隔離空間Ｃの内側および外側のいずれにも配置可能であるため、バリエーションやデザイン性についてより富んだ喫煙スペースを作ることができる。
【００５２】
図１２に示す喫煙ブースＡ２は、４つの曲面仕切りユニット１、２つの平面仕切りユニット２、および出入口ユニット３を互いに縦枠部材４を介して連結したものである。この喫煙ブースＡ２は、図１１に示す喫煙ブースＡ１における一端側の曲面仕切りユニット１に対し、さらに縦枠部材４を介して平面仕切りユニット２を連結し、その平面仕切りユニット２の側端部を一方の壁Ｂ３に近接するように配置したものである。このような喫煙ブースＡ２によっても、隔離空間Ｃ２のスペースをより大きく確保することができ、曲面板１０の凹面１０Ａを隔離空間Ｃの内側および外側のいずれにも配置可能であるため、バリエーションやデザイン性についてより富んだ喫煙スペースを作ることができる。
【００５３】
図１３に示す喫煙ブースＡ３は、３つの曲面仕切りユニット１、２つの平面仕切りユニット２、および出入口ユニット３を互いに縦枠部材４を介して連結したものである。３つの曲面仕切りユニット１は、曲面板１０の凹面１０Ａを全て隔離空間Ｃ１の内側に配置するように縦枠部材４を介して連結されており、その両端の曲面仕切りユニット１から壁Ｂ３までの間に２つの平面仕切りユニット２および出入口ユニット３が連結されている。このような喫煙ブースＡ３によれば、一方向に臨む壁Ｂ３に隣接して十分な大きさの隔離空間Ｃ３を形成することができる。また、３つの曲面仕切りユニット１が連結されると、それらの曲面板１０によって中心角が１８０度となる半円状の曲面が形成されるので、より柔らかい印象の隔離空間Ｃ３を形成することができる。
【００５４】
図１４に示す喫煙ブースＡ４は、６つの曲面仕切りユニット１、２つの平面仕切りユニット２、および出入口ユニット３を互いに縦枠部材４を介して連結したものである。この喫煙ブースＡ４は、曲面板１０の凹面１０Ａを全て隔離空間Ｃ１の内側に配置した曲面仕切りユニット１を３つずつ連結したものを含んでおり、両端の曲面仕切りユニット１の間に２つの平面仕切りユニット２および出入口ユニット３を連結したものである。このような喫煙ブースＡ４によれば、壁を利用せずとも十分な広さを有し、楕円状でより柔らかい印象の隔離空間Ｃ４を形成することができる。
【００５５】
上記の各実施形態から明らかなように、本発明に係る喫煙ブースによれば、曲面仕切りユニット、平面仕切りユニット、および出入口ユニットといった３種類のユニットを自由に組み合わせ、これらのユニットを共通の縦枠部材を介して容易に連結することができる。このように複数種類のユニットを多様に組み合わせることができる上、隔離空間に対する曲面板の凹面および凸面の向きによっても喫煙ブースの外観を変えることができるので、バリエーションやデザイン性に富む喫煙スペースを建物内に容易に作ることができる。
【００５６】
なお、本発明は、上記の実施形態に限定されるものではない。
【００５７】
上記の各実施形態で示した構成は、あくまでも一例にすぎず、各請求項に記載した事項の範囲内での各部の変更は、すべて本発明の範囲に含まれる。
【００５８】
たとえば、曲面板、平面板、窓板は、透明あるいは半透明である程度の厚みをもつ樹脂パネルであってもよい。
【００５９】
上記の各実施形態では、曲面板として、横断面において中心角６０度の円筒状をなし、片面側の凹面および他面側の凸面をもつものを採用した。これにより、図１１および図１２に示すように、隔離空間に対する曲面板の凹面の向きを互いに逆向きとして連結された２つの曲面仕切りユニットでは、横断面において緩やかな湾曲波状の仕切り壁を形成することができる。また、図１３および図１４に示すように、隔離空間側に曲面板の凹面を配置して連結された３つの曲面仕切りユニットでは、横断面において半円状の仕切り壁を形成することができる。本発明では、もちろん中心角６０度以外の曲面板を採用してもよい。たとえば中心角４５度の曲面板を用いた曲面仕切りユニットでは、隔離空間側にそれらの曲面板の凹面を配置して４つの曲面仕切りユニットを連結すると、上記実施形態と同様の横断面において半円状の仕切り壁を形成することができ、また、中心角９０度の曲面板を用いた曲面仕切りユニットでは、上記と同様にして２つの曲面仕切りユニットを連結するだけで半円状の仕切り壁を形成することができる。
【符号の説明】
【００６０】
Ａ，Ａ１〜Ａ４    喫煙ブース
Ｂ１              床
Ｂ２              天井
Ｂ３              壁
Ｃ，Ｃ１〜Ｃ４    隔離空間
１                曲面仕切りユニット
１０              曲面板
１０Ａ            凹面
１０Ｂ            凸面
１１              上枠部材
１１２            緩衝部材
１２              下枠部材
２                平面仕切りユニット
２０              平面板
２１              上枠部材
２１２            緩衝部材
２２              下枠部材
３                出入口ユニット
３０              出入口
３１              開閉ドア
３２              スライドクローザ
３４              窓板
３５              窓上枠部材
３６              窓下枠部材
４                縦枠部材
５（５Ａ，５Ｂ）  テーブル
６（６Ａ，６Ｂ）  照明ボックス
【図１】
2011144533.tif 000003
【図２】
2011144533.tif 000004
【図３】
2011144533.tif 000005
【図４】
2011144533.tif 000006
【図５】
2011144533.tif 000007
【図６】
2011144533.tif 000008
【図７】
2011144533.tif 000009
【図８】
2011144533.tif 000010
【図９】
2011144533.tif 000011
【図１０】
2011144533.tif 000012
【図１１】
2011144533.tif 000013
【図１２】
2011144533.tif 000014
【図１３】
2011144533.tif 000015
【図１４】
2011144533.tif 000016